(57)【要約】【課題】  エッセンシャルオイルの知識がなくても、目的や効能に合ったエッセンシャルオイルが調合されたアロマバスを得ることができるアロマバス制御システムを提供する。【解決手段】  アロマバス制御システムは、表示部１５と、選択情報入力部１６と、調合部２７と、調合制御部１７とを備えている。表示部１５は、アロマバスに関する複数の選択肢を表示する。選択情報入力部１６は、選択肢に対応する情報である選択情報を入力する。調合部２７は、複数のエッセンシャルオイルを調合する。調合制御部１７は、選択情報に基づいて、調合部２７による複数のエッセンシャルオイルの調合を制御する。【選択図】      図２
2006174900.tif 000002
【特許請求の範囲】
【請求項１】
アロマバスに関する複数の選択肢を表示する表示部（１５）と、
前記選択肢に対応する情報である選択情報を入力する選択情報入力部（１６）と、
複数のエッセンシャルオイルを調合する調合部（２７）と、
前記選択情報に基づいて、前記調合部（２７）による複数のエッセンシャルオイルの調合を制御する調合制御部（１７）と、
を備えているアロマバス制御システム。
【請求項２】
前記調合されたエッセンシャルオイルを湯に溶解させる溶解部（２９）をさらに備えている、
請求項１に記載のアロマバス制御システム。
【請求項３】
湯の温度を制御する湯温制御部（５９）をさらに備え、
前記湯温制御部（５９）は、前記選択情報に基づいて、湯の温度を制御する、
請求項１または２に記載のアロマバス制御システム。
【請求項４】
前記調合制御部（１７）は、前記調合部（２７）に対してユーザにとって不利益になる調合を回避する制御を行う、
請求項１から３のいずれかに記載のアロマバス制御システム。
【請求項５】
サービス提供者のサーバである第１のサーバ（１）をさらに備え、
前記第１のサーバ（１）は、ネットワーク（１１）を介して前記調合制御部（１７）と接続され、
前記第１のサーバ（１）は、前記ユーザにとって不利益になる調合に関する情報である調合回避情報を管理する調合回避情報管理部（３２）を有する、
請求項４に記載のアロマバス制御システム。
【請求項６】
ユーザの成長段階に関する成長段階情報を入力する成長段階情報入力部（１９）をさらに備え、
前記調合制御部（１７）は、前記成長段階情報に基づいて、前記ユーザの成長段階に起因して不利益になる調合を禁止する、
請求項４または５に記載のアロマバス制御システム。
【請求項７】
ユーザの疾患または体質に関する疾患・体質情報を入力する疾患・体質情報入力部（２０）をさらに備え、
前記調合制御部（１７）は、前記疾患・体質情報に基づいて、前記ユーザの疾患または体質に起因して不利益になる調合を禁止する、
請求項４から６のいずれかに記載のアロマバス制御システム。
【請求項８】
前記調合制御部（１７）は、前記ユーザの疾患または体質の改善度合いに基づいて、前記不利益になる調合の禁止を解除する、
請求項７に記載のアロマバス制御システム。
【請求項９】
前記ユーザの疾患または体質の改善に関する改善情報を入力する改善情報入力手段（５６、５７、５８）と、
前記改善情報に基づいて、前記ユーザの疾患または体質の改善度合いを生成する改善度合い生成部（５５）と、
をさらに備えている、
請求項８に記載のアロマバス制御システム。
【請求項１０】
前記ユーザの疾患または体質の改善度合いは、他のユーザのための調合に反映される、
請求項８または９に記載のアロマバス制御システム。
【請求項１１】
前記ユーザにとって不利益になる調合になるおそれがある時間帯に関する時間帯情報を生成する時間帯情報生成部（２１）をさらに備え、
前記調合制御部（１７）は、前記時間帯情報に基づいて、前記時間帯に起因して不利益になる調合を禁止する、
請求項４から１０のいずれかに記載のアロマバス制御システム。
【請求項１２】
前記エッセンシャルオイルの使用頻度に関する使用頻度情報を生成する使用頻度情報生成部（２２）をさらに備え、
前記調合制御部（１７）は、前記エッセンシャルオイルの使用頻度情報に基づいて、前記ユーザにとって不利益になる調合を禁止する、
請求項４から１０のいずれかに記載のアロマバス制御システム。
【請求項１３】
ユーザを識別してユーザ識別情報を生成する識別部（２３）と、
前記ユーザ識別情報に基づいて、湯の追加または交換を行う湯供給部（２８）と、
をさらに備え、
前記調合制御部（１７）は、前記ユーザ識別情報に基づいて、前記調合部（２７）によってエッセンシャルオイルを追加するように制御する、
請求項１から１２のいずれかに記載のアロマバス制御システム。
【請求項１４】
前記エッセンシャルオイルの調合に関する情報である調合情報を更新する調合情報更新部（６１）をさらに備えている、
請求項１から１３のいずれかに記載のアロマバス制御システム。
【請求項１５】
アロマセラピストの知識に基づいて生成されたエッセンシャルオイルに関する知識情報が保存されたアロマセラピスト知識データベース（７）をさらに備えている、
請求項１から１４のいずれかに記載のアロマバス制御システム。
【請求項１６】
前記調合制御部（１７）は、前記知識情報に基づいて、前記エッセンシャルオイルの調合を制御する、
請求項１５に記載のアロマバス制御システム。
【請求項１７】
前記エッセンシャルオイルが所定の量以下の残量になったときに報知する残量報知部（３０）をさらに備えている、
請求項１から１６のいずれかに記載のアロマバス制御システム。
【請求項１８】
前記エッセンシャルオイルを前記第１のサーバ（１）に注文するためのエッセンシャルオイル注文情報を入力するエッセンシャルオイル注文情報入力部（２６、４１）をさらに備えている、
請求項５に記載のアロマバス制御システム。
【請求項１９】
前記エッセンシャルオイルの調合の変更を行う調合変更部（２４、３９）をさらに備えている、
請求項１から１８のいずれかに記載のアロマバス制御システム。
【請求項２０】
前記エッセンシャルオイルの調合の評価を行う調合評価部（３３）をさらに備えている、
請求項１９に記載のアロマバス制御システム。
【請求項２１】
前記調合の評価が所定の評価以上であるときに、前記調合情報は、ネットワーク（１１）上で公開される、
請求項２０に記載のアロマバス制御システム。
【請求項２２】
前記調合の評価が所定の評価以上であるときに、評価のポイントに関する情報である評価ポイント情報をネットワーク（１１）を介して送信する評価ポイント情報送信部（３４）と、
前記評価ポイント情報を受信する評価ポイント情報受信部（４４）と、
をさらに備えている、
請求項２０または２１に記載のアロマバス制御システム。
【請求項２３】
前記調合制御部（１７）とネットワーク（１１）を介して接続された操作端末（９、１０）をさらに備えており、
前記操作端末（９、１０）は、前記ネットワーク（１１）を介して、前記調合制御部（１７）の遠隔制御をする、
請求項１から２２のいずれかに記載のアロマバス制御システム。
【請求項２４】
前記湯に溶解されたエッセンシャルオイルが所定の効能を発揮した時間になったときに報知する効能発揮時間報知部（２５）をさらに備えている、
請求項２に記載のアロマバス制御システム。
【請求項２５】
関連商品を供給する供給元のサーバである第２のサーバ（１２）と、
前記第２のサーバ（１２）へ前記関連商品の注文をするための商品注文情報を入力する商品注文情報入力部（４２）と、
をさらに備えている、
請求項１から２４のいずれかに記載のアロマバス制御システム。
【請求項２６】
前記第２のサーバ（１２）が前記商品注文情報を受信したときに、前記商品注文情報に対応する関連商品のポイントに関する商品ポイント情報を送信する商品ポイント情報送信部（６２、５１）と、
前記商品ポイント情報を受信する商品ポイント情報受信部（４３）と、
をさらに備えている、
請求項２５に記載のアロマバス制御システム。
【発明の詳細な説明】
【技術分野】
【０００１】
本発明は、アロマバス制御システムに関する。
【背景技術】
【０００２】
従来より、アロマセラピーの一種として、少なくとも１種のエッセンシャルオイルを乳化剤に溶かすことにより作られたバスアロマを浴槽の湯に溶解させて香りを楽しむアロマバスがある。家庭などにおいて個人的にアロマバスを使用する場合には、自分でエッセンシャルオイルや乳化剤の種類を選択して湯に溶解させたり、または、すでに入浴剤として市販されている既存の調合のバスアロマを湯に溶解させている。
【発明の開示】
【発明が解決しようとする課題】
【０００３】
しかし、ユーザのその日の気分や体調によって、バスアロマの香りや効能を変更したいときには、ユーザ自らが目的や効能に合ったエッセンシャルオイルを選択し、複数のエッセンシャルオイルを組み合わせて調合する必要がある。そのためには、エッセンシャルオイルに関する知識が必要である。また、エッセンシャルオイルに関する知識がなければ市販のバスアロマを使用せざるをえない。
【０００４】
エッセンシャルオイルの知識がユーザになければ、個々のエッセンシャルオイルの使用についてユーザの体調や特性などに不都合が生じるかどうかをユーザ自ら判断することが困難である。したがって、ユーザは、試行錯誤しながら自分の体調などに合ったエッセンシャルオイルを見つけるしかなく、エッセンシャルオイルを調合するための手間と時間がかかる。
【０００５】
一方、市販のバスアロマでは、ユーザの目的や効能に合うようにエッセンシャルオイルが調合されたバスアロマがない場合がある。
本発明はこのような問題を解消するためになされたものであり、エッセンシャルオイルの知識がなくても、目的や効能に合ったエッセンシャルオイルが調合されたアロマバスを得ることができるアロマバス制御システムを提供することを目的とする。
【課題を解決するための手段】
【０００６】
第１発明のアロマバス制御システムは、表示部と、選択情報入力部と、調合部と、調合制御部とを備えている。表示部は、アロマバスに関する複数の選択肢を表示する。選択情報入力部は、選択肢に対応する情報である選択情報を入力する。調合部は、複数のエッセンシャルオイルを調合する。調合制御部は、選択情報に基づいて、調合部による複数のエッセンシャルオイルの調合を制御する。
【０００７】
ここでは、表示部に表示されたアロマバスに関する複数の選択肢をユーザが選択情報入力部を用いて選択することによって、調合制御部は、選択肢に対応する選択情報に基づいて、調合部による複数のエッセンシャルオイルの調合を制御する。それによって、ユーザがアロマセラピーやエッセンシャルオイルについての専門知識をもたなくても、目的や効能に合ったエッセンシャルオイルが調合されたアロマバスを得ることができる。
【０００８】
第２発明のアロマバス制御システムは、第１発明のアロマバス制御システムであって、溶解部をさらに備えている。溶解部は、調合されたエッセンシャルオイルを湯に溶解させる。
ここでは、溶解部を用いてエッセンシャルオイルを湯に自動的に溶解させることができる。
【０００９】
第３発明のアロマバス制御システムは、第１発明または第２発明のアロマバス制御システムであって、湯温制御部をさらに備えている。湯温制御部は、湯の温度を制御する。湯温制御部は、選択情報に基づいて、湯の温度を制御する。
ここでは、湯温制御部が選択情報に基づいて湯の温度を制御することによって、バスアロマの効能、目的に合わせて湯の温度を制御することができる。
【００１０】
第４発明のアロマバス制御システムは、第１発明から第３発明のいずれかのアロマバス制御システムであって、調合制御部は、調合部に対してユーザにとって不利益になる調合を回避する制御を行う。
ここでは、調合制御部は、調合部に対してユーザにとって不利益になる調合を回避する制御を行うので、ユーザにとって不利益なエッセンシャルオイルの調合を回避することができる。
【００１１】
第５発明のアロマバス制御システムは、第４発明のアロマバス制御システムであって、第１のサーバをさらに備えている。第１のサーバは、サービス提供者のサーバである。第１のサーバは、ネットワークを介して調合制御部と接続される。第１のサーバは、調合回避情報管理部を有する。調合回避情報管理部は、調合回避情報を管理する。調合回避情報は、ユーザにとって不利益になる調合に関する情報である。
【００１２】
ここでは、ネットワークを介して調合制御部と接続された第１のサーバが、調合回避情報管理部を用いてユーザの体質や特性に合わせた調合の管理を行うことができる。
第６発明のアロマバス制御システムは、第４発明または第５発明のアロマバス制御システムであって、成長段階情報入力部をさらに備えている。成長段階情報入力部は、ユーザの成長段階に関する成長段階情報を入力する。調合制御部は、成長段階情報に基づいて、ユーザの成長段階に起因して不利益になる調合を禁止する。
【００１３】
ここでは、調合制御部は、成長段階情報入力部を用いて入力されたユーザの成長段階情報に基づいて、ユーザの成長段階に起因して不利益になる調合を禁止する。
第７発明のアロマバス制御システムは、第４発明から第６発明のいずれかのアロマバス制御システムであって、疾患・体質情報入力部をさらに備えている。疾患・体質情報入力部は、ユーザの疾患または体質に関する疾患・体質情報を入力する。調合制御部は、疾患・体質情報に基づいて、ユーザの疾患または体質に起因して不利益になる調合を禁止する。
【００１４】
ここでは、調合制御部は、疾患・体質情報入力部を用いて入力されたユーザの疾患・体質情報に基づいて、ユーザの疾患または体質に起因して不利益になる調合を禁止する。
第８発明のアロマバス制御システムは、第７発明のアロマバス制御システムであって、調合制御部は、ユーザの疾患または体質の改善度合いに基づいて、不利益になる調合の禁止を解除する。
【００１５】
ここでは、ユーザの疾患または体質の改善度合いに基づいて、不利益になる調合の禁止を解除する。
第９発明のアロマバス制御システムは、第８発明のアロマバス制御システムであって、改善情報入力手段と、改善度合い生成部とをさらに備えている。改善情報入力手段は、ユーザの疾患または体質の改善に関する改善情報を入力する。改善度合い生成部は、改善情報に基づいて、ユーザの疾患または体質の改善度合いを生成する。
【００１６】
ここでは、改善情報入力手段を用いて入力されたユーザの改善情報に基づいて、ユーザの疾患または体質の改善度合いを生成する。
第１０発明のアロマバス制御システムは、第８発明または第９発明のアロマバス制御システムであって、ユーザの疾患または体質の改善度合いは、他のユーザのための調合に反映される。
【００１７】
ここでは、ユーザの疾患または体質の改善度合いは、他のユーザのための調合に反映される。
第１１発明のアロマバス制御システムは、第４発明から第１０発明のいずれかのアロマバス制御システムであって、時間帯情報生成部をさらに備えている。時間帯情報生成部は、ユーザにとって不利益になる調合になるおそれがある時間帯に関する時間帯情報を生成する。調合制御部は、時間帯情報に基づいて、時間帯に起因して不利益になる調合を禁止する。
【００１８】
ここでは、調合制御部は、時間帯情報生成部によって生成される時間帯情報に基づいて、ユーザにとって不利益になる調合になるおそれがある時間帯に起因して不利益になる調合を禁止する。
第１２発明のアロマバス制御システムは、第４発明から第１０発明のいずれかのアロマバス制御システムであって、使用頻度情報生成部をさらに備えている。使用頻度情報生成部は、エッセンシャルオイルの使用頻度に関する使用頻度情報を生成する。調合制御部は、エッセンシャルオイルの使用頻度情報に基づいて、ユーザにとって不利益になる調合を禁止する。
【００１９】
ここでは、調合制御部は、使用頻度情報生成部によって生成されるエッセンシャルオイルの使用頻度情報に基づいて、ユーザにとって不利益になる調合を禁止する。
第１３発明のアロマバス制御システムは、第１発明から第１２発明のいずれかのアロマバス制御システムであって、識別部と、湯供給部とをさらに備えている。識別部は、ユーザを識別してユーザ識別情報を生成する。湯供給部は、ユーザ識別情報に基づいて、湯の追加または交換を行う。調合制御部は、ユーザ識別情報に基づいて、調合部によってエッセンシャルオイルを追加するように制御する。
【００２０】
ここでは、アロマバスを使用するユーザを識別部を用いて識別し、ユーザ識別情報に基づいて、湯供給部が湯の追加または交換を行い、それとともに調合制御部が調合部によってエッセンシャルオイルを追加するように制御する。
第１４発明のアロマバス制御システムは、第１発明から第１３発明のいずれかのアロマバス制御システムであって、調合情報更新部をさらに備えている。調合情報更新部は、エッセンシャルオイルの調合に関する情報である調合情報を更新する。
【００２１】
ここでは、調合情報更新部を用いて、エッセンシャルオイルの調合に関する情報である調合情報を更新するので、新しい調合についての調合情報を更新することができる。
第１５発明のアロマバス制御システムは、第１発明から第１４発明のいずれかのアロマバス制御システムであって、アロマセラピスト知識データベースをさらに備えている。アロマセラピスト知識データベースには、知識情報が保存されている。知識情報は、アロマセラピストの知識に基づいて生成された、エッセンシャルオイルに関する情報である。
【００２２】
ここでは、アロマセラピストの知識に関する知識情報に基づいて、調合などについてより細かい制御を行うことができる。
第１６発明のアロマバス制御システムは、第１５発明のアロマバス制御システムであって、調合制御部は、知識情報に基づいて、エッセンシャルオイルの調合を制御する。
ここでは、調合制御部は、アロマセラピストの知識に関する知識情報に基づいて調合を制御する。
【００２３】
第１７発明のアロマバス制御システムは、第１発明から第１６発明のいずれかのアロマバス制御システムであって、残量報知部をさらに備えている。残量報知部は、エッセンシャルオイルが所定の量以下の残量になったときに報知する。
ここでは、残量報知部を用いて、エッセンシャルオイルが所定の量以下の残量になったことをユーザへ報知することができる。
【００２４】
第１８発明のアロマバス制御システムは、第５発明のアロマバス制御システムであって、エッセンシャルオイル注文情報入力部をさらに備えている。エッセンシャルオイル注文情報入力部は、エッセンシャルオイルを第１のサーバに注文するためのエッセンシャルオイル注文情報を入力する。
ここでは、ユーザは、エッセンシャルオイル注文情報入力部を用いて、エッセンシャルオイルを第１のサーバに注文することができる。
【００２５】
第１９発明のアロマバス制御システムは、第１発明から第１８発明のいずれかのアロマバス制御システムであって、調合変更部をさらに備えている。調合変更部は、エッセンシャルオイルの調合の変更を行う。
ここでは、アロマバスに関する複数の選択肢に対応する所定の調合以外の調合を楽しみたい場合に、ユーザは調合変更部を用いて任意に調合を変更することができる。
【００２６】
第２０発明のアロマバス制御システムは、第１９発明のアロマバス制御システムであって、調合評価部をさらに備えている。調合評価部は、エッセンシャルオイルの調合の評価を行う。
ここでは、調合評価部を用いて、調合変更部を用いてエッセンシャルオイルの調合が変更された場合に、エッセンシャルオイルの調合の評価を行うことができる。
【００２７】
第２１発明のアロマバス制御システムは、第２０発明のアロマバス制御システムであって、調合の評価が所定の評価以上であるときに、調合情報は、ネットワーク上で公開される。
ここでは、調合の評価が所定の評価以上であるときに、調合情報は、ネットワーク上で公開されるので、評価の高い調合情報を他のユーザが取得して利用することができる。
【００２８】
第２２発明のアロマバス制御システムは、第２０発明または第２１発明のアロマバス制御システムであって、評価ポイント情報送信部と、評価ポイント情報受信部とをさらに備えている。評価ポイント情報送信部は、調合の評価が所定の評価以上であるときに、評価のポイントに関する情報である評価ポイント情報をネットワークを介して送信する。評価ポイント情報受信部は、評価ポイント情報を受信する。
【００２９】
ここでは、調合の評価が所定の評価以上であるときに、評価ポイントが評価ポイント情報送信部からネットワークを介して送信される。ユーザは、評価ポイント情報受信部を用いて評価ポイントを取得することができる。
第２３発明のアロマバス制御システムは、第１発明から第２２発明のいずれかのアロマバス制御システムであって、操作端末をさらに備えている。操作端末は、調合制御部にネットワークを介して接続されている。操作端末は、ネットワークを介して、調合制御部の遠隔制御をする。
【００３０】
ここでは、調合制御部にネットワークを介して接続される操作端末を備えているので、操作端末を用いて、調合制御部を遠隔制御することができる。
第２４発明のアロマバス制御システムは、第２発明のアロマバス制御システムであって、効能発揮時間報知部をさらに備えている。効能発揮時間報知部は、湯に溶解されたエッセンシャルオイルが所定の効能を発揮した時間になったときに報知する。
【００３１】
ここでは、効能発揮時間報知部を備えているので、ユーザが入浴を開始してからバスアロマの効果が十分発揮した時間になったときにユーザに知らせることができる。
第２５発明のアロマバス制御システムは、第１発明から第２４発明のいずれかのアロマバス制御システムであって、第２のサーバと、商品注文情報入力部とをさらに備えている。第２のサーバは、関連商品を供給する供給元のサーバである。商品注文情報入力部は、第２のサーバへ関連商品の注文をするための商品注文情報を入力する。
【００３２】
ここでは、ユーザが関連商品を注文する場合に、ユーザが商品注文情報入力部を用いて商品注文情報を入力することにより、関連商品を供給する供給元の第２のサーバへ関連商品を注文することができる。
第２６発明のアロマバス制御システムは、第２５発明のアロマバス制御システムであって、商品ポイント情報送信部と、商品ポイント情報受信部とをさらに備えている。商品ポイント情報送信部は、第２のサーバが商品注文情報を受信したときに、商品注文情報に対応する関連商品のポイントに関する商品ポイント情報を送信する。商品ポイント情報受信部は、商品ポイント情報を受信する。
【００３３】
ここでは、ユーザが第２のサーバへ関連商品を注文したときに、商品ポイント情報受信部を用いて商品ポイント情報を取得することができる。
【発明の効果】
【００３４】
第１発明によれば、ユーザがアロマセラピーやエッセンシャルオイルについての専門知識をもたなくても、目的や効能に合ったエッセンシャルオイルが調合されたアロマバスを得ることができる。したがって、ユーザは自分の好みのアロマバスに、安心して入ることができる。
第２発明によれば、エッセンシャルオイルを湯に自動的に溶解させることができる。
【００３５】
第３発明によれば、バスアロマの効能、目的に合わせて湯の温度を制御することができる。
第４発明によれば、ユーザにとって不利益なエッセンシャルオイルの調合を回避することができる。
第５発明によれば、ネットワークを介してユーザの体質や特性に合わせた調合の管理を行うことができる。
【００３６】
第６発明によれば、ユーザの成長段階に起因して不利益になる調合を禁止することができる。
第７発明によれば、ユーザの疾患または体質に起因して不利益になる調合を禁止することができる。
第８発明によれば、ユーザの疾患または体質の改善度合いに基づいて、不利益になる調合の禁止を解除することができる。
【００３７】
第９発明によれば、ユーザの疾患または体質の改善度合いを生成することができる。
第１０発明によれば、ユーザの疾患または体質の改善度合いを、他のユーザのための調合に反映することができる。
第１１発明によれば、ユーザにとって不利益になる調合になるおそれがある時間帯に起因して不利益になる調合を禁止することができる。
【００３８】
第１２発明によれば、エッセンシャルオイルの使用頻度情報に基づいて、ユーザにとって不利益になる調合を禁止することができる。
第１３発明によれば、個々のユーザを識別して、湯の追加または交換、ならびにエッセンシャルオイルの追加を行うことができる。
第１４発明によれば、新しい調合についての情報を更新することができる。
【００３９】
第１５発明によれば、ユーザは、アロマセラピストの知識に関する知識情報を容易に利用することができ、調合などについてより細かい制御を行うことができる。
第１６発明によれば、調合制御部は、知識情報に基づいて、エッセンシャルオイルの調合を制御することができる。
第１７発明によれば、エッセンシャルオイルが所定の量以下の残量になったことをユーザへ報知することができる。
【００４０】
第１８発明によれば、エッセンシャルオイル注文情報入力部を用いて、エッセンシャルオイルを注文することができる。
第１９発明によれば、アロマバスに関する複数の選択肢に対応する所定の調合以外の調合を楽しみたい場合に、ユーザは任意に調合を変更することができる。
第２０発明によれば、ユーザによって調合が変更された場合に、エッセンシャルオイルの調合の評価を行うことができる。
【００４１】
第２１発明によれば、評価の高い調合情報を他のユーザが取得して利用することができる。
第２２発明によれば、調合の評価が高いときに、ユーザは、評価ポイントを取得することができる。
第２３発明によれば、操作端末を用いて、調合制御部を遠隔制御することができる。
【００４２】
第２４発明によれば、バスアロマの効果が十分発揮した時間になったことをユーザに知らせることができる。
第２５発明によれば、関連商品を供給する供給元の第２のサーバへ関連商品を注文することができる。
第２６発明によれば、ユーザが関連商品を注文したときに、商品ポイント情報を取得することができる。
【発明を実施するための最良の形態】
【００４３】
＜全体構成＞
図１に示されるように、アロマバス制御システムは、主として、ホストサーバ１と、リモコン２と、給湯機３と、ホームサーバ４と、顧客データベース（以下、顧客ＤＢという）６と、アロマセラピスト知識データベース（以下、アロマセラピスト知識ＤＢという）７とから構成されている。ユーザ側にある給湯機３、リモコン２、およびホームサーバ４は、順に信号線で接続されている。また、ホームサーバ４とホストサーバ１とは、インターネットなどのネットワーク１１を介して常時接続されている。サービス提供者側にあるホストサーバ１、顧客ＤＢ６、およびアロマセラピスト知識ＤＢ７は、互いに信号線で接続されている。さらに、ユーザ側の操作端末として、パーソナルコンピュータ（以下、ＰＣという）９および携帯電話１０が、ネットワーク１１を介して、ホームサーバ４およびホストサーバ１の両方に接続されている。
【００４４】
つぎに、ユーザ側にある給湯機３、リモコン２、およびホームサーバ４について、図２を参照しながらさらに詳細に説明する。
＜給湯機３の構成＞
給湯機３は、図１および図２に示されるように、湯供給部２８と、湯温制御部５９と、アロマカートリッジ５と、調合部２７と、溶解部２９と、残量報知部３０とを備えている。
【００４５】
湯供給部２８は、外部から導入された水を加熱して湯を供給する。湯温制御部５９は、湯供給部２８で作り出される湯の温度を制御する。
アロマカートリッジ５は、バスアロマの成分となる複数のエッセンシャルオイルが収納された交換可能なカートリッジである。また、アロマカートリッジ５には、乳化剤も収納されている。
【００４６】
調合部２７は、後述する選択情報入力部１６を用いて選択されたユーザの目的や効能に合ったバスアロマを調合する。調合部２７は、後述する調合制御部１７によって選択されたエッセンシャルオイルを、アロマカートリッジ５から１種または２種以上選択して所定の分量を取り出し、乳化剤とともに混合することにより、バスアロマを調合する。
溶解部２９は、調合部２７によって調合されたバスアロマを湯供給部２８から供給される湯に溶解させる。
【００４７】
残量報知部３０は、アロマカートリッジ５に収容されるエッセンシャルオイルの残量が所定量以下になったときに報知する。具体的には、残量報知部３０からリモコン２へ報知情報が送信され、リモコン２の表示部１５には、残量が少ないエッセンシャルオイルの名称を表示する。また、それとともに、リモコン２に内蔵されたランプ（図示せず）を点灯させたり、あるいはリモコン２に内蔵された音声発生手段（図示せず）により、音、音声、音楽等で報知するようにしてもよい。
＜リモコン２の構成＞
リモコン２は、給湯機３の運転を制御する機能と、バスアロマの調合その他に関する制御を行う機能と、ホストサーバ１との通信を行う機能を有する。リモコン２は、図１および図２に示されるように、湯温調整部６０と、表示部１５と、調合制御部１７と、中央処理ユニット（以下、ＣＰＵという）１８と、選択情報入力部１６と、成長段階入力部１９と、疾患・体質情報入力部２０と、時間帯情報生成部２１と、使用頻度情報生成部２２と、識別部２３と、調合変更部２４と、効能発揮時間報知部２５と、エッセンシャルオイル注文情報入力部２６とを備えている。
【００４８】
湯温調整部６０は、ユーザの所望の温度を入力することにより、給湯機３の湯供給部２８で作り出される湯の温度を任意に調整することができる。
表示部１５は、液晶表示装置などからなる表示装置であり、給湯機３の運転状況（湯の温度など）の表示だけでなく、アロマバスの目的または効能に関する複数の選択肢（たとえば図６参照）などの種々の表示を行うことができる。また、表示部１５には、ホストサーバ１からネットワーク１１を経由して得られる情報を表示することができる。
【００４９】
調合制御部１７は、以下の選択情報その他の情報に基づいて、給湯機３の調合部２７によるバスアロマの調合を制御する。
選択情報入力部１６は、表示部１５に表示された目的または効能に関する選択肢から、所望の選択肢に対応する情報である選択情報を入力するためのものである。具体的には、図６に示されるように、表示部１５に表示される目的または効能（具体的には、今日の気分または体調）の選択肢に関する複数の表示、すなわち、「イライラしている」と表示されたアイコン４５、「すぐに寝たい」と表示されたアイコン４６、「悲しい気分だ」と表示されたアイコン４７、および「気分が落ち込んでいる」と表示されたアイコン４８などのうちから、１つのアイコンを矢印形状のカーソル４９で選択することにより、選択情報が入力される。
【００５０】
調合制御部１７は、図９に示される対応テーブルから、選択情報に対応するエッセンシャルオイルＡ〜Ｅと乳化剤Ｆとの組合せおよびそれぞれの分量を決定し、そのエッセンシャルオイル等の組合せおよび分量のバスアロマが得られるように、給湯機３の調合部２７を制御する。対応テーブルは、ホームサーバ４のマイアロマ知識データベース３１（以下、マイアロマ知識ＤＢという）（図７参照）に保存されている。
【００５１】
また、上記の選択情報に基づいて調合を制御するときに、ユーザの成長段階、疾患・体質、調合の時間帯、エッセンシャルオイルの使用頻度等によっては、調合制御部１７は、特定のエッセンシャルオイルを用いた調合を回避する（図９の対応テーブルの調合制限の項目参照）。以下、調合を回避するための調合回避情報を入力するための情報入力部または情報生成部１９〜２２について説明する。
【００５２】
成長段階入力部１９は、ユーザの成長段階、具体的には、年齢だけでなく、妊娠初期、中期、後期、または新生児、乳児期、幼児期、高齢期等のライフステージを入力するためのものである。これにより、調合制御部１７は、ユーザの成長段階に起因して不利益になる調合を禁止する。成長段階入力部１９から入力されたユーザの成長段階（妊娠初期、中期、後期、新生児、乳児期、幼児期、高齢期等）に関する情報は、ネットワーク１１を介して、顧客ＤＢ６に保存される。これにより、ホストサーバ１の調合回避情報管理部３２（図３参照）は、ユーザの成長段階に関する情報に基づいて、使用を禁止するエッセンシャルオイルの指定・解除、またはエッセンシャルオイルの濃度の変更をするように、リモコン２の調合制御部１７を管理することができる。
【００５３】
たとえば、調合制御部１７は、ユーザが妊婦であることについての情報が成長段階入力部１９から入力されたときに、妊婦への使用に適していないエッセンシャルオイル（ローズマリーやペパーミントなど）を使用した調合を禁止する。さらに、妊娠初期であることについての情報を受けたときには、カモミールやラベンダーなどの使用も禁止する。
また、調合制御部１７は、ユーザが産後の授乳期であることについての情報が成長段階入力部１９から入力されたときに、産後の授乳期における使用に適していないエッセンシャルオイル（ペパーミントやマージョラムなど）を使用した調合を禁止する。また、この場合、産後の授乳期段階の乳児にとっては大人と同じ濃度のエッセンシャルオイルは強すぎるため、調合制御部１７は、エッセンシャルオイルの調合の分量を少なくするように調整する。
【００５４】
さらに、調合制御部１７は、ユーザが高齢期であることについての情報が成長段階入力部１９から入力されたときに、高齢期における使用に適していないエッセンシャルオイルを使用した調合を禁止する。
疾患・体質情報入力部２０は、ユーザの疾患または体質に関する疾患・体質情報（喘息、アトピー性皮膚炎、乾燥肌、皮膚が敏感であるなど）を入力するためのものである。これにより、調合制御部１７は、ユーザの疾患または体質に起因して不利益になる調合を禁止する。疾患・体質情報は、ネットワーク１１を介して、顧客ＤＢ６に保存される。これにより、ホストサーバ１の調合回避情報管理部３２は、疾患・体質情報に基づいて、使用を禁止するエッセンシャルオイルの指定・解除、またはエッセンシャルオイルの濃度の変更をするように、リモコン２の調合制御部１７を管理することができる。
【００５５】
たとえば、調合制御部１７は、ユーザが喘息を患っていることについての情報が疾患・体質情報入力部２０から入力されたときに、喘息を患っているユーザへの使用に適していないエッセンシャルオイル（カンファーなど）を使用した調合を禁止し、喘息患者への使用に適しているユーカリなどを使用する。
また、疾患・体質情報が疾患・体質情報入力部２０から入力されたときに、表示部１５には、疾患・体質情報の疾患・体質に対して改善効果があるエッセンシャルオイルの種類が表示され、これにより、改善効果があるエッセンシャルオイルを積極的に使用するようにユーザへ案内される。ユーザは、調合変更部２４を操作することにより、改善効果があるエッセンシャルオイルを選択して使用することができる。改善効果があるエッセンシャルオイルについての情報は、ネットワーク１１を介してアロマセラピスト知識ＤＢ７から取得される。
【００５６】
時間帯情報生成部２１は、ユーザにとって不利益になる調合になるおそれがある時間帯に関する時間帯情報を生成する。これにより、調合制御部１７は、ユーザにとって不利益になる調合になるおそれがある時間帯に起因して不利益になる調合を禁止する。時間帯情報は、ネットワーク１１を介して、顧客ＤＢ６に保存される。これにより、ホストサーバ１の調合回避情報管理部３２は、時間帯情報に基づいて、使用を禁止するエッセンシャルオイルの指定・解除、またはエッセンシャルオイルの濃度の変更をするように、リモコン２の調合制御部１７を管理することができる。
【００５７】
たとえば、調合を行う時間帯が朝や昼の時間帯であることについての時間帯情報が時間帯情報生成部２１によって生成されたときに、調合制御部１７は、日光に当たると皮膚にしみを生じさせるおそれのある柑橘系のエッセンシャルオイル（レモンやグレープフルーツなど）を使用した調合を禁止する。
使用頻度情報生成部２２は、エッセンシャルオイルの使用頻度に関する使用頻度情報を生成する。これにより、調合制御部１７は、エッセンシャルオイルの使用頻度情報に基づいて、ユーザにとって不利益になる調合を禁止する。使用頻度情報は、ネットワーク１１を介して、顧客ＤＢ６に保存される。これにより、ホストサーバ１の調合回避情報管理部３２は、使用頻度情報に基づいて、使用を禁止するエッセンシャルオイルの指定・解除、またはエッセンシャルオイルの濃度の変更をするように、リモコン２の調合制御部１７を管理することができる。
【００５８】
たとえば、長期間にわたり連続して使用しない方がよいエッセンシャルオイル（ジュニパーやブラックペッパーなど）が所定の期間以上連続して使用されていることについての使用頻度情報が、使用頻度情報生成部２２によって生成されたときには、調合制御部１７は、そのエッセンシャルオイルを使用した調合を禁止する。
また、選択情報および調合回避情報に基づいて、調合制御部１７が調合部２７によるバスアロマの調合を制御し、それとともに、ＣＰＵ１８は、給湯機３の湯温制御部５９へ制御信号を送って、調合したバスアロマの効能、目的に合わせて湯の温度を調整する。
【００５９】
なお、ホストサーバ１は、上記のように調合回避情報管理部３２によって使用禁止に指定されたエッセンシャルオイルについてリモコン２およびＰＣ９（または携帯電話１０）のエッセンシャルオイル注文情報入力部２６、４１（図４参照）から注文情報を受けたときに、使用禁止に指定されたエッセンシャルオイルの販売を拒否するための拒否情報をリモコン２およびＰＣ９（または携帯電話１０）に送信する。
【００６０】
識別部２３は、ユーザを識別してユーザ識別情報を生成する。調合制御部１７および湯温制御部５９はそれぞれ、ユーザ識別情報に基づいて、調合部２７および湯供給部２８を制御する。これにより、識別部２３がアロマバスを使用するユーザを識別することにより、ユーザに応じて湯の追加または交換、ならびにエッセンシャルオイルの追加を行うことができる。識別部２３は、各ユーザの名前または対応する識別番号等を入力することによって、各ユーザの識別を行うが、従来公知の本人認識の技術、たとえば指紋パターンの読み取り等の識別方法を採用してもよい。
【００６１】
通常、家族を構成する複数のユーザが、それぞれのユーザによって体質、疾患、成長段階などが異なるため、入浴しようとするユーザを識別部２３によって識別することにより、リモコン２のＣＰＵ１８は、上記の体質、疾患または成長段階に基づいた調合の調整が実現できるように、浴槽の湯を一旦排水したのち、新たに湯供給部２８を作動させて湯を供給したり、湯だけを追加して浴槽中のバスアロマの濃度を薄めたり、さらに調合部２７からエッセンシャルオイルを追加して濃くしたりするように、給湯機３を制御することができる。
【００６２】
また、湯を入れ替えたり、追加するなどによって調合したエッセンシャルオイルが無駄にならならないように、すなわち、効率的な調合ができるように、浴槽に入るユーザの順番をリモコン２の表示部１５またはＰＣ９（または携帯電話１０）の画面などに指示する。たとえば、顧客ＤＢ６に保存されているユーザデータおよびカスタマイズデータ等に基づいて、リモコン２の表示部１５またはＰＣ９（または携帯電話１０）の画面などには、エッセンシャルオイルの分量が少ないバスアロマを使用するユーザ（たとえば、乳幼児等）に早い順番で入浴を指示し、エッセンシャルオイルの分量が多い濃いめのバスアロマを使用するユーザに遅い順番で入浴を指示する。
【００６３】
調合変更部２４は、ユーザの好みに応じて個々のエッセンシャルオイルの分量を調整し、調合の変更（カスタマイズ）を行うためのものである。これにより、アロマバスの目的または効能に関する複数の選択情報に対応する所定の調合以外の調合を楽しみたい場合に、ユーザは、好みや目的（病気、体調、癒しなど）により適合したエッセンシャルオイルの調合になるように、調合変更部２４を用いて任意に調合を変更することができる。ユーザが調合変更部２４を用いて調合の変更を行う場合、後述するアロマセラピスト知識ＤＢ７に保存された知識情報をリモコンの表示部１５に表示することによって、この知識情報を参考にして調合の変更を行う事ができる。
【００６４】
この調合変更部２４を用いて、ユーザは、専属のアロマセラピストへの相談、アドバイスに基づいて、自分だけのバスアロマを得るために調合の変更（カスタマイズ）をすることができる。なお、アロマカートリッジ５に収納されるエッセンシャルオイルだけでは調合できない場合には、後述するエッセンシャルオイル注文情報入力部２６を用いて、調合が可能なエッセンシャルオイルが収納されたアロマカートリッジ５またはエッセンシャルオイル単品をホストサーバ１へ注文することができる。注文されたアロマカートリッジ５またはエッセンシャルオイル単品は、翌日に既存の宅配便等の手段によってユーザの所へ配達される。
【００６５】
効能発揮時間報知部２５は、ユーザが入浴を開始してから湯に溶解されたエッセンシャルオイルが所定の効能を十分発揮した時間になったときに音または光などで報知する。これにより、バスアロマの効果が十分発揮したと見込める時間になったときに入浴中のユーザへ通報することができ、ユーザは最適のタイミングで入浴を終了することができる。入浴開始から通報するまでの時間は、選択したエッセンシャルオイル（または２種以上のエッセンシャルオイルの組合せ）と湯の温度によって制御される。したがって、通報があるまでユーザが入浴すれば、バスアロマの効能は確実に発揮される。たとえば、ぬるま湯で長時間入浴することが推奨されるエッセンシャルオイル（または２種以上のエッセンシャルオイルの組合せ）の場合では、通報までの時間を比較的長めの時間になるように制御することによって、エッセンシャルオイルの目的とする効能は十分発揮される。
【００６６】
エッセンシャルオイル注文情報入力部２６は、エッセンシャルオイルを、ホストサーバ１に注文するためのエッセンシャルオイル注文情報を入力するためのものである。これにより、アロマカートリッジ５を注文したり、足りなくなったエッセンシャルオイルを追加したり、自分でカスタマイズしたいときに所望のエッセンシャルオイルをサービス提供者側のホストサーバ１へ注文することができる。
【００６７】
また、リモコン２は、音響装置１３（図１参照）を有しているので、目的とする癒しや気分に合わせて音楽を鳴らすことができる。音響装置１３は、リモコン２とは別体に浴室の壁または天井に設けられているが、リモコン２に内蔵されていてもよい。新しい効能に対する音楽や、複数パターンの音楽がある場合には、ホストサーバ１からネットワーク１１経由で新しい音楽データがリモコン２へ配信されるので、ユーザは、バスアロマの目的、効能に合った音楽を聞くことができ、癒しや気分改善の効果がさらに向上される。
【００６８】
さらに、リモコン２は、照明装置１４を有しているので、浴槽の湯中または湯の表面に光を当てて、癒しや気分改善の効果がさらに向上される。照明装置１４は、リモコン２とは別体に浴室の壁や天井、または浴槽の内壁などに設けられている。また、照明装置１４は、上記の音響装置１３から発せられる音楽に合わせて、光を点滅させたり、光の色を変更させることができる。
＜ホームサーバ４の構成＞
ホームサーバ４は、ユーザが使用するエッセンシャルオイルに関する知識情報（エッセンシャルオイルの効能、組合せ、分量、それに適合する湯の温度など）を保存するマイアロマ知識ＤＢ３１を備えている。ホームサーバ４は、リモコン２とネットワーク１１とを接続するためのインターフェースとして機能する。なお、ホームサーバ４の代わりにルータを使用することも可能である。
【００６９】
つぎに、サービス提供者側にあるホストサーバ１、顧客ＤＢ６、およびアロマセラピスト知識ＤＢ７について、図３を参照しながらさらに詳細に説明する。
＜ホストサーバ１の構成＞
ホストサーバ１は、図３に示されるように、調合回避情報管理部３２と、調合評価部３３と、評価ポイント情報送信部３４と、知識情報送信部５４と、改善度合い生成部５５と、調合情報更新部６１と、商品等ポイント情報送信部６２とを備えている。
【００７０】
調合回避情報管理部３２は、リモコン２からネットワーク１１を介して送信されてきた調合回避情報（成長段階に関する情報、疾患・体質情報、時間帯情報、および使用頻度情報など）を管理する。調合回避情報は、顧客ＤＢ６にユーザデータとして保存される。調合回避情報管理部３２は、調合回避情報に基づいて、使用を禁止するエッセンシャルオイルの指定・解除、またはエッセンシャルオイルの濃度の変更をするように、リモコン２の調合制御部１７を管理する。
【００７１】
調合評価部３３は、ユーザがリモコン２の調合変更部２４またはＰＣ９（または携帯電話１０）の調合変更部３９を用いて独自に行ったエッセンシャルオイルの調合に対して、アロマセラピスト知識ＤＢ７に保存された知識情報に基づいて評価を行う。調合の評価が所定の評価以上であるときに、エッセンシャルオイルの調合に関する情報である調合情報は、ネットワーク１１上で公開される。
【００７２】
評価ポイント情報送信部３４は、調合の評価が所定の評価以上であるときに、調合評価部３３によって得られた調合の評価結果に対応する評価ポイントに関する情報である評価ポイント情報を後述するＰＣ９（または携帯電話１０）へ送信する。なお、評価ポイントは、ＰＣ９（または携帯電話１０）だけでなく、リモコン２に送信されてもよい。
知識情報送信部５４は、アロマセラピスト知識ＤＢ７に保存された知識情報をホームサーバ４およびＰＣ９（または携帯電話１０）へ送信する。ユーザは、知識情報を参考にして、調合変更部２４、３９を用いて調合の変更（カスタマイズ）を行うことができる。
【００７３】
調合情報更新部６１は、アロマセラピストが新しい調合を開発したり、エッセンシャルオイルの新たな効能を発見するなどして、アロマセラピスト知識ＤＢ７の知識情報が更新された場合に、その調合ができるように、調合情報更新部６１は、調合情報を更新する。更新された調合情報は、ホームサーバ４のマイアロマ知識ＤＢ３１およびＰＣ９（または携帯電話１０）へ送信され、保存される。
【００７４】
商品等ポイント情報送信部６２は、ユーザ側のリモコン２またはＰＣ９（または携帯電話１０）からアロマカートリッジ５、エッセンシャルオイル単品または後述する関連商品等を注文するための注文情報がホストサーバ１へ送信されたときに、注文された商品等に対応する商品等ポイント情報をＰＣ９（または携帯電話１０）へ送信するためのものである。商品等ポイント情報は、顧客ＤＢ６で販売実績データとして管理される。
【００７５】
さらに、ホストサーバ１は、ユーザ個人の専用のウェブページ（いわゆるマイ・アロマページ８）をネットワーク１１上に開設している。ユーザは、ＰＣ９（または携帯電話１０）を通じてマイ・アロマページ８を見ることができる。ユーザは、ユーザＩＤおよびパスワードをＰＣ９に入力してマイ・アロマページ８に入ることができ、マイ・アロマページ８上で、バスアロマの調合の変更（カスタマイズ）、エッセンシャルオイルの注文、後述する関連商品の注文などの操作を行うことができる。
＜顧客ＤＢ６の構成＞
顧客ＤＢ６は、ホストサーバ１に接続されている。顧客ＤＢ６には、ユーザデータ、カスタマイズデータおよび販売実績データなどが保存されている。
【００７６】
ユーザデータは、ユーザ識別情報、およびユーザの調合回避情報（成長段階に関する情報、疾患・体質情報、時間帯情報、および使用頻度情報など）を含む。
また、後述する改善情報入力手段（図１に示されるデジタルカメラ５６、睡眠センサ５７、血圧計５８）から得られる改善情報も、ユーザデータとして顧客ＤＢ６に保存される。保存された改善情報は、ホストサーバ１の調合回避情報管理部３２によって統計的に管理される。これにより、より効果的な調合を開発し、他のユーザの調合へ反映することができる。
【００７７】
カスタマイズデータは、ユーザがリモコン２の調合変更部２４またはＰＣ９（または携帯電話１０）の調合変更部３９によってエッセンシャルオイルの調合の変更（カスタマイズ）を行ったときの変更された調合情報を含む。
販売実績データは、ユーザに販売されたアロマカートリッジ５、エッセンシャルオイル単品、または関連商品についての履歴などの販売実績に関するデータである。なお、ユーザは、自分の購入したアロマカートリッジ５や関連商品の購入履歴をＰＣ９（または携帯電話１０）を用いてネットワーク１１（具体的には、ネットワーク１１上のマイ・アロマページ８）経由で容易に確認することができ、さらに過去に購入した物と同一の物を容易に再注文することもできる。したがって、アロマカートリッジ５や関連商品の注文が容易になる。
＜アロマセラピスト知識ＤＢ７の構成＞
アロマセラピスト知識ＤＢ７は、アロマセラピストの知識に基づいて生成された、エッセンシャルオイルに関する知識情報を保存するデータベースである。アロマセラピスト知識ＤＢ７に保存されている知識情報は、アロマセラピストが新しい調合を開発したり、エッセンシャルオイルの新たな効能を発見した場合などに更新される。アロマセラピスト知識ＤＢ７に保存されている知識情報は、ネットワーク１１（具体的には、ネットワーク１１上のマイ・アロマページ８）を経由してユーザのＰＣ９（または携帯電話１０）から取得される。ユーザは、新しく更新された知識情報を取得することにより、この知識情報に基づいて調合制御部１７を制御することにより新規のバスアロマを調合して楽しむことができる。
【００７８】
また、ユーザ側には、ユーザがリモコン２が設置された家屋または建物から離れた所からでも、湯の供給、エッセンシャルオイルの調合およびその調合の変更、ならびに種々の操作を行うための操作端末として、ＰＣ９および携帯電話１０がネットワーク１１を介して、ホストサーバ１およびホームサーバ４に接続されている。
＜ＰＣ９の構成＞
ＰＣ９は、図４に示されるように、調合遠隔制御部３５と、湯供給遠隔制御部３６と、成長段階入力部３７と、疾患・体質情報入力部３８と、調合変更部３９と、知識情報受信部４０と、エッセンシャルオイル注文情報入力部４１と、商品注文情報入力部４２と、商品等ポイント情報受信部４３と、評価ポイント情報受信部４４とを備えている。
【００７９】
なお、成長段階入力部３７、疾患・体質情報入力部３８、調合変更部３９、およびエッセンシャルオイル注文情報入力部４１は、上記のリモコン２の成長段階入力部１９、疾患・体質情報入力部２０、調合変更部２４、およびエッセンシャルオイル注文情報入力部２６と同じ構成および機能を有している。
調合遠隔制御部３５は、エッセンシャルオイルの調合を遠隔制御する。すなわち、調合遠隔制御部３５は、ネットワーク１１（具体的には、マイ・アロマページ８）を経由して、リモコン２の調合制御部１７を遠隔制御し、調合制御部１７に調合部２７の制御を行わせることができる。たとえば、マイ・アロマページ８上には、図６に示される表示部１５と同様に、今日の気分または体調の選択肢に関する複数の表示が表示され、調合遠隔制御部３５を用いて１つの選択肢を選択することにより、選択情報が入力され、リモコン２の調合制御部１７は、選択情報に基づいて、給湯機３の調合部２７によるバスアロマの調合を制御する。
【００８０】
また、調合遠隔制御部３５は、エッセンシャルオイルの調合の開始時刻などを指定して調合制御部１７を遠隔制御することができる。
湯供給遠隔制御部３６は、給湯機３による湯の供給を遠隔制御する。すなわち、湯供給遠隔制御部３６は、ネットワーク１１（具体的には、マイ・アロマページ８）およびリモコン２を経由して、給湯機３の湯供給部２８および湯温制御部５９を遠隔制御することができる。また、湯供給遠隔制御部３６は、湯の供給の開始時刻などを指定して給湯機３を遠隔制御することができる。
【００８１】
知識情報受信部４０は、アロマセラピスト知識ＤＢ７に保存された知識情報が知識情報送信部５４によってＰＣ９へ送信されてきたときに、知識情報を受信する。ユーザは、知識情報を参考にして、調合変更部３９を用いて調合の変更（カスタマイズ）を行うことができる。
商品注文情報入力部４２は、関連商品を注文するための商品注文情報を入力するためのものである。ここでいう関連商品は、アロマバスおよびその周辺の分野に関連する商品であり、さらに詳しくいえば、風呂、入浴、癒し、アロマセラピー、病気、症状、美容または衛生などに関連する商品である。関連商品には、たとえば、石けんや香水などの種々の関連商品（いわゆる、こだわり商品）が含まれる。商品注文情報入力部４２は、ネットワーク１１（具体的には、マイ・アロマページ８）を経由してホストサーバ１へ商品注文情報を送信して関連商品の注文をすることができる。商品注文情報は、ホストサーバ１を介して商品販売業者側サーバ１２（図７参照）へ送信される。
【００８２】
商品等ポイント情報受信部４３は、ホストサーバ１の商品等ポイント情報送信部６２から送信される商品等ポイント情報を受信するためのものである。ユーザがアロマカートリッジ５、エッセンシャルオイルの単品、または関連商品等を購入するために、エッセンシャルオイル注文情報入力部２６、４１または商品注文情報入力部４２から注文情報をホストサーバ１へ送信すれば、注文された商品等に対応する商品等ポイント情報が、ホストサーバ１の商品等ポイント情報送信部６２からＰＣ９へ送信される。商品等ポイントは、ＰＣ９の商品等ポイント情報受信部４３で受信される。この商品等ポイントを利用することによって、ユーザは、次回の商品等を購入するときに割引や特典サービスを受けることができる。
【００８３】
評価ポイント情報受信部４４は、ホストサーバ１の評価ポイント情報送信部３４から送信される評価ポイント情報を受信するためのものである。ユーザは、受け取った評価ポイントの点数に応じて謝礼または商品等を宅配便等の手段を介して取得することができる。
また、ＰＣ９には、図１に示されるように、ユーザの疾患または体質の改善に関する改善情報を入力する改善情報入力手段として、デジタルカメラ５６、睡眠センサ５７および血圧計５８が接続されている。
【００８４】
たとえば、アトピーや湿疹などの皮膚疾患の症状に対するアロマバスの入浴効果による改善具合を知るために、皮膚の画像情報からなる改善情報が、デジタルカメラ５６から入力され、ＰＣ９およびネットワーク１１を経由してホストサーバ１へ送信される。ホストサーバ１では、改善度合い生成部５５が、送信されてきた改善情報と顧客ＤＢ６に保存された過去の改善情報とを比較して、改善度合いを生成する。この改善度合いが所定の度合いよりも高い場合は、疾患または体質の改善があったとして、調合回避情報管理部３２は、その疾患または体質の存在を理由に使用が禁止されていたエッセンシャルオイルについて、使用可能な状態になるように、調合回避情報を変更する。これにより、調合制御部１７は、変更された調合回避情報に基づいて調合を行うようになり、新たなエッセンシャルオイルの調合が可能になる。
【００８５】
同様に、不眠の症状を知るための脳波からなる改善情報は、睡眠センサ５７から入力される。また、血圧からなる改善情報は、血圧計５８から入力される。改善度合い生成部５５は、それらの改善情報と顧客ＤＢ６に保存された過去の改善情報とを比較して、改善度合いを生成し、この改善度合いに基づいて、調合回避情報管理部３２は、調合回避情報を変更する。これにより、疾患または体質の存在を理由に使用が禁止されていたエッセンシャルオイルについて、使用可能な状態になる。
【００８６】
また、上記の改善情報入力手段（デジタルカメラ５６、睡眠センサ５７、血圧計５８）を用いても得られない疾患または体質については、医師などによる問診によって改善度合いが決定される。
さらに、ＰＣ９と後述するアロマセラピスト側端末５０（図７参照）とのあいだでメールの交換等を行うことによって、エッセンシャルオイルの調合などについてアロマセラピストへ相談することができる。
＜携帯電話１０の構成＞
携帯電話１０は、上記のＰＣ９と同様に、調合遠隔制御部３５と、湯供給遠隔制御部３６と、成長段階入力部３７と、疾患・体質情報入力部３８と、調合変更部３９と、知識情報受信部４０と、エッセンシャルオイル注文情報入力部４１と、商品注文情報入力部４２と、商品等ポイント情報受信部４３と、評価ポイント情報受信部４４とを備えている。
【００８７】
また、ＰＣ９と同様に、携帯電話１０とアロマセラピスト側端末５０とのあいだでメールの交換または通話等を行うことによって、エッセンシャルオイルの調合などについてアロマセラピストへ相談することができる。
＜アロマバス制御システムの動作方法＞
つぎに、アロマバス制御システムの動作方法について図５のフローチャートを参照しながら説明する。なお、ここでは、基本的な動作として、リモコン２を操作してバスアロマの製造を行う動作例について説明する。
【００８８】
ステップＳ１において、入浴開始前のリモコン２の表示部１５には、図６に示されるように目的または効能（具体的には、今日の気分または体調）の選択肢に関する複数の表示が表示される。
ステップＳ２において、ユーザは、選択情報入力部１６を用いて所望の選択情報（たとえば、「すぐに寝たい」に関する情報）が入力される。
【００８９】
ステップＳ３において、調合制御部１７は、図９に示される対応テーブルから、選択情報に対応するエッセンシャルオイルＡ〜Ｅと乳化剤Ｆとの組合せおよびそれぞれの分量からなる調合情報を選択する。ここで、ユーザの成長段階、疾患・体質、調合の時間帯、エッセンシャルオイルの使用頻度等の調合回避情報が、情報入力部または情報生成部１９〜２２によって入力されている場合には、調合制御部１７は、特定のエッセンシャルオイルを用いた調合を回避する。
【００９０】
ステップＳ４において、調合制御部１７は、決定されたエッセンシャルオイル等の組合せおよび分量のバスアロマが得られるように、給湯機３の調合部２７にエッセンシャルオイルの混合を行わせる。
ステップＳ５において、調合部２７は、混合されたエッセンシャルオイルに乳化剤を混合させて、バスアロマを製造する。
【００９１】
ステップＳ６において、製造されたバスアロマは、給湯機３の溶解部２９によって湯に溶解される。
ステップＳ７において、ＣＰＵ１８は、給湯機３の湯温制御部５９へ制御信号を送って、調合したバスアロマの効能、目的に合わせて湯の温度を調整する。
＜アロマバス制御システムの情報伝達フロー＞
つぎに、アロマバス制御システムの各動作における情報伝達フローについて、図７を参照しながら説明する。
【００９２】
なお、リモコン２およびＰＣ９（または携帯電話１０）からユーザが本システムにログインするときには、公知の認証方法で認証される。
（アロマカートリッジ５の残量チェックまたは注文）
経路Ａ１０に示されるように、ユーザ側において、アロマカートリッジ５の残量が低下したときには、給湯機３の残量報知部３０（図２参照）が残量低下を検出して、残量報知部３０からリモコン２へ報知情報が送信される。
【００９３】
経路Ａ１１に示されるように、アロマカートリッジ５またはエッセンシャルオイルの単品を注文する場合には、リモコン２のエッセンシャルオイル注文情報入力部２６（図２参照）からサービス提供者側のホストサーバ１へ注文情報が送信される。
また、経路Ａ１２に示されるように、ＰＣ９（または携帯電話１０）のエッセンシャルオイル注文情報入力部４１（図４参照）からもホストサーバ１へ注文情報を送信することができる。
【００９４】
経路Ａ１３に示されるように、注文情報を受けたホストサーバ１は、注文情報を販売実績データとして顧客ＤＢ６に保存させる。
（バスアロマの調合の変更（カスタマイズ））
経路Ａ２１に示されるように、リモコン２の調合変更部２４、またはＰＣ９（または携帯電話１０）の調合変更部３９からホストサーバ１へ調合変更情報が送信される。
【００９５】
経路Ａ２２に示されるように、ホストサーバ１は、調合変更情報をアロマセラピスト知識ＤＢ７に保存された知識情報に基づいてエッセンシャルオイルの組合せやユーザの体質への適合性などをチェックする。
（湯温制御）
経路Ａ３１に示されるように、アロマセラピスト知識ＤＢ７に保存されている知識情報、具体的には、エッセンシャルオイルの効能、エッセンシャルオイルの組合せ、エッセンシャルオイルの分量、エッセンシャルオイルに適した湯温などの情報が、ホストサーバ１を介して、ユーザ側のホームサーバ４のマイアロマ知識ＤＢ３１に送信されて保存される。
【００９６】
経路Ａ３２に示されるように、リモコン２のＣＰＵ１８は、マイアロマ知識ＤＢ３１に保存された知識情報に基づいて、給湯機３の湯温制御部５９へ制御信号を送って、調合したバスアロマの効能、目的に合わせて湯の温度を調整する。それにより、最適な温度のアロマバスになるように浴槽５２へ湯を供給することができる。
（相談またはアドバイスのための情報伝達）
経路Ａ４１に示されるように、ユーザが外部のアロマセラピストに相談したり、アドバイスを受けるために、ユーザ側のＰＣ９（または携帯電話１０）とアロマセラピスト側端末５０とは、ネットワーク１１を介して接続されている。たとえば、ユーザのアロマセラピー等に関する質問等の情報が、ＰＣ９（または携帯電話１０）からアロマセラピスト側端末５０へ送信され、また、アロマセラピストの専門的知識に基づいた回答等に関する情報が、アロマセラピスト側端末５０からＰＣ９（または携帯電話１０）へ送信される。
（アロマセラピスト知識ＤＢ７の構築および知識情報の更新）
経路Ａ６１に示されるように、アロマセラピスト知識ＤＢ７が外部のアロマセラピストによって構築されるために、アロマセラピストが有するアロマセラピー等に関する知識情報が、アロマセラピスト側端末５０からアロマセラピスト知識ＤＢ７に送信され、保存される。複数台のアロマセラピスト側端末５０をアロマセラピスト知識ＤＢ７に接続することによって、複数のアロマセラピストが共同してアロマセラピスト知識ＤＢ７を構築することができる。
【００９７】
また、アロマセラピスト知識ＤＢ７に保存されている知識情報は、アロマセラピストが新しい調合を開発したり、エッセンシャルオイルの新たな効能を発見した場合などに、新しい知識情報が、アロマセラピスト側端末５０からアロマセラピスト知識ＤＢ７に送信され、更新される。
（新しいバスアロマの案内または音楽配信）
経路Ａ７１に示されるように、アロマセラピスト知識ＤＢ７に新しい知識情報が更新されたときには、ホストサーバ１からリモコン２へ新しいバスアロマを案内するための案内情報が送信される。なお、案内情報は、ＰＣ９（または携帯電話１０）へ送信されてもよい。
【００９８】
同様に経路Ａ７１に示されるように、ホストサーバ１からリモコン２へ音楽データが配信されるので、音響装置１３（図１参照）を用いてユーザは音楽を楽しむことができる。音楽データについても、新しい音楽データが更新されたときには、ホストサーバ１は、リモコン２へ新しい音楽データを配信する。
＜代金支払い情報等の情報伝達フロー＞
つぎに、アロマバス制御システムにおける代金支払い情報等の情報伝達フローについて、図８を参照しながら説明する。
【００９９】
ユーザが、アロマバス制御システムを使用して目的や効能に合ったバスアロマを製造してアロマバスを利用するサービスの利用、または調合を変更する場合には、サービス提供者へ支払うべき料金は無料である。
一方、ユーザがアロマカートリッジ５またはエッセンシャルオイルの単品を購入する場合には、サービス提供者へ代金を支払う必要がある。このとき、ＰＣ９（または携帯電話１０）からホストサーバ１へ代金支払い情報（入金情報）が送信される。サービス提供者は、ホストサーバ１が代金支払い情報を受信したことによって、代金支払いを確認できる。さらに、サービス提供者からアロマセラピストへ手数料を支払うために、ホストサーバ１からアロマセラピスト側端末５０へ手数料情報が送信される。アロマセラピストは、アロマセラピスト側端末５０が手数料情報を受信したことによって、手数料の支払いを確認できる。
【０１００】
また、ユーザが関連商品を購入する場合には、商品販売業者へ代金を支払う必要がある。このとき、ＰＣ９（または携帯電話１０）から商品販売業者側サーバ１２へ代金支払い情報（入金情報）が送信される。商品販売業者は、商品販売業者側サーバ１２が代金支払い情報を受信したことによって、代金支払いを確認できる。さらに、商品販売業者からサービス提供者へ仲介料を支払うために、商品販売業者側サーバ１２からホストサーバ１へ仲介料情報が送信される。サービス提供者は、ホストサーバ１が仲介料情報を受信したことによって、仲介料の支払いを確認できる。
＜実施形態の特徴＞
（１）
本実施形態のアロマバス制御システムは、リモコン２の表示部１５に表示されたアロマバスの目的または効能に関する複数の選択肢を、ユーザが選択情報入力部１６を用いて選択する。それによって、調合制御部１７は、選択肢に対応する選択情報に基づいて、給湯機３の調合部２７による複数のエッセンシャルオイルの調合を制御する。したがって、ユーザがアロマセラピーやエッセンシャルオイルについての専門知識をもたなくても、目的や効能に合ったエッセンシャルオイルが調合されたアロマバスを得ることができる。
（２）
本実施形態のアロマバス制御システムは、湯温制御部５９が選択情報に基づいて湯の温度を制御することによって、バスアロマの効能、目的に合わせて湯の温度を制御する。
（３）
本実施形態のアロマバス制御システムでは、リモコン２の調合制御部１７は、選択情報に基づいて調合を制御するときでも、ユーザの成長段階、疾患・体質、調合の時間帯、エッセンシャルオイルの使用頻度等の調合回避情報によっては、調合部２７に対してユーザにとって不利益になる調合を回避する制御を優先的に行う。
（４）
本実施形態のアロマバス制御システムは、サービス提供者のホストサーバ１を備えている。ホストサーバ１は、ネットワーク１１を介してユーザ側のリモコン２の調合制御部１７と接続されている。ホストサーバ１は、ユーザにとって不利益になる調合に関する情報である調合回避情報を管理する調合回避情報管理部３２を有している。したがって、ホストサーバ１は、調合回避情報管理部３２を用いてユーザの体質や特性に合わせた調合の管理を行う。
（５）
本実施形態のアロマバス制御システムでは、ユーザを識別してユーザ識別情報を生成する識別部２３がリモコン２に具備されているので、アロマバスを使用するユーザを識別部２３を用いて識別する。ユーザ識別情報に基づいて、湯供給部２８が湯の追加または交換を行い、それとともに調合制御部１７が調合部２７によってエッセンシャルオイルを追加するように制御する。
（６）
本実施形態のアロマバス制御システムでは、エッセンシャルオイルの調合情報を更新する調合情報更新部６１がホストサーバ１に具備されている。したがって、調合情報更新部６１を用いて、新しい調合についての調合情報を更新する。
（７）
本実施形態のアロマバス制御システムは、アロマセラピストの知識に基づいて生成されたエッセンシャルオイルに関する知識情報が保存されたアロマセラピスト知識ＤＢ７を備えている。したがって、ユーザは、アロマセラピスト知識ＤＢ７の知識情報を容易に利用することができる。また、調合制御部１７は、知識情報に基づいて、調合などについてより細かい制御を行う。
（８）
本実施形態のアロマバス制御システムは、エッセンシャルオイルをホストサーバ１に注文するためのエッセンシャルオイル注文情報を入力するエッセンシャルオイル注文情報入力部２６、４１を備えている。ユーザは、エッセンシャルオイル注文情報入力部２６、４１を用いて、エッセンシャルオイルをホストサーバ１に注文する
（９）
本実施形態のアロマバス制御システムは、リモコン２の調合変更部２４およびＰＣ９（または携帯電話１０）の調合変更部３９を備えているので、アロマバスの目的または効能に関する複数の選択肢に対応する所定の調合以外の調合を楽しみたい場合に、ユーザは調合変更部２４、３９を用いて任意に調合を変更する。
（１０）
本実施形態のアロマバス制御システムは、ホストサーバ１の調合評価部３３を用いて、ユーザによって変更されたエッセンシャルオイルの調合の評価を行う。
（１１）
本実施形態のアロマバス制御システムでは、ユーザによって変更されたエッセンシャルオイルの調合の評価が所定の評価以上であるときに、調合情報は、ネットワーク１１上でおすすめの調合として公開されるので、評価の高い調合情報を他のユーザが取得して利用することができる。
（１２）
本実施形態のアロマバス制御システムは、ユーザによって変更されたエッセンシャルオイルの調合の評価が所定の評価以上であるときに、ユーザは、ホストサーバ１の評価ポイント情報送信部３４からネットワーク１１を介して送信される評価ポイントを、ＰＣ９（または携帯電話１０）の評価ポイント情報受信部４４を用いて取得する。
（１３）
本実施形態のアロマバス制御システムは、操作端末としてＰＣ９および携帯電話１０を備えているので、ネットワーク１１を介して調合制御部１７を遠隔制御する。同様に、ＰＣ９および携帯電話１０は、湯供給部２８および湯温制御部５９の遠隔制御を行う。
（１４）
本実施形態のアロマバス制御システムでは、効能発揮時間報知部２５がリモコン２に具備されているので、効能発揮時間報知部２５を用いて、ユーザが入浴を開始してからバスアロマの効果が十分発揮することが可能な時間になったときにユーザに報知する。これにより、バスアロマの効果が十分発揮したと見込める時間になったときに入浴中のユーザへ通報することができる。
＜変形例＞
（Ａ）
本実施形態では、アロマバス制御システムと給湯機３とが一体であるが、本発明はこれに限定されるものではない。変形例として、たとえば、アロマバス制御システム専用のリモコンが、給湯機３のリモコンとは別に設けられてもよい。
（Ｂ）
また、本実施形態では、給湯機３に調合部２７を内蔵した例が示されているが、本発明はこれに限定されるものではなく、調合部２７を給湯機３とは別体の構成にしてもよい。その場合、調合部２７に給湯機３からの給湯されたお湯をバイパスして供給したり、または浴槽のお湯を循環させるようにして、調合部２７に湯が通過したときに適量のエッセンシャルオイルおよび乳化剤などを湯に溶解させるようにしてもよい。
（Ｃ）
本実施形態では、浴槽にバスアロマを溶解させた湯を供給する例が示されているが、さらに、バスアロマを溶解させた湯を用いて高圧空気とともに浴槽中に噴射させることにより、ジェットバスのようにして用いることができる。これにより、ユーザは、自宅でエステサロンのようにマッサージ付きのアロマセラピーを実現することができる。
（Ｄ）
また、他の変形例として、バスアロマが溶解した湯をシャワーから噴射させてユーザの身体に当ててもよく、これにより、自宅でマッサージを付加したアロマセラピーを実現することができる。
（Ｅ）
さらに他の変形例として、バスアロマが溶解した湯または水を噴霧器等を用いて霧（ミスト）状にして、浴室全体に充満させることにより、ユーザがバスアロマの霧を吸引することによってアロマセラピーの効果をさらに向上させることができる。
（Ｆ）
本実施形態では、商品注文情報がＰＣ９（または携帯電話１０）からホストサーバ１を介して商品販売業者側サーバ１２へ送信される例が示されているが、本発明はこれに限定されるものではなく、ＰＣ９（または携帯電話１０）から商品販売業者側サーバ１２へ直接送信されてもよい（図７の経路Ａ５１参照）。この場合、商品販売業者側サーバ１２が有する商品ポイント情報送信部５１からＰＣ９（または携帯電話１０）の商品等ポイント情報受信部４３へ商品ポイント情報がホストサーバ１を介さずに直接送信される。
（Ｇ）
本発明のアロマバス制御システムは、バスアロマだけでなく、ハーブまたは通常の入浴剤を湯に付与する場合にも適用可能である。
【図面の簡単な説明】
【０１０１】
【図１】本発明のアロマバス制御システムの実施形態に係るシステムの全体構成図。
【図２】図１のユーザ側のリモコン、給湯機およびホームサーバを示すブロック図。
【図３】図１のサービス提供者側のホストサーバ、顧客データベースおよびアロマセラピスト知識データベースを示すブロック図。
【図４】図１のパーソナルコンピュータの内部構成を示すブロック図。
【図５】本発明のアロマバス制御システムの動作方法を示すフローチャート。
【図６】図１のリモコンの表示部における表示例を示す図。
【図７】本発明のアロマバス制御システムにおける情報伝達フローを示す図。
【図８】本発明のアロマバス制御システムにおける代金支払い情報等の情報伝達フローを示す図。
【図９】図２の調合制御部が選択情報に対応するエッセンシャルオイルと乳化剤との組合せおよびそれぞれの分量を決定するために用いる対応テーブル。
【符号の説明】
【０１０２】
１  ホストサーバ（第１のサーバ）
２  リモコン
３  給湯機
４  ホームサーバ
５  アロマカートリッジ
６  顧客データベース
７  アロマセラピスト知識データベース
９  パーソナルコンピュータ
１０  携帯電話
１１  ネットワーク
１２  商品販売業者側サーバ（第２のサーバ）
１５  表示部
１６  選択情報入力部
１７  調合制御部
２７  調合部
２８  湯供給部
２９  溶解部
５９  湯温制御部
【図１】
2006174900.tif 000003
【図２】
2006174900.tif 000004
【図３】
2006174900.tif 000005
【図４】
2006174900.tif 000006
【図５】
2006174900.tif 000007
【図６】
2006174900.tif 000008
【図７】
2006174900.tif 000009
【図８】
2006174900.tif 000010
【図９】
2006174900.tif 000011